(57)【特許請求の範囲】
【請求項１】
後部が支点で前部が上下動自在な整地フロ−ト２５を有した苗植付部整地用のフロ−トを具備した田植装置１９を、牽引車１に油圧装置で昇降可能なリンク機構１５を介して装着し、前記整地フロ−ト２５の後部回動支点を上下調節して植付深さを調整する調整機構を田植装置１９のフレ−ム側に装着し、このフレ−ム側の植付深さ調節機構に加わる負荷を検出する接地圧検出手段３２を設けると共に、前記整地フロ−ト２５の前部の仰角θを検出する仰角検出手段４７を設け、仰角検出手段４７の検出値が設定検出値Ｃ１〜Ｃnから外れるときに油圧切換弁５１を中立状態から上昇状態又は下降状態へ切換制御するよう構成し、接地圧検出手段３２の検出値が基準検出値Ｋ1〜Ｋnから外れるときに前記油圧装置の油圧切換弁５１の切換制御用の感度を補正する構成とし、前記仰角検出手段４７の設定検出値Ｃ１〜Ｃn及び接地圧検出手段３２の基準検出値Ｋ1〜Ｋnを予め設定できる構成とした乗用型田植機における植付部昇降制御装置。
【発明の詳細な説明】
【０００１】
【発明の属する技術分野】
この発明は、乗用型田植機における植付部昇降制御装置に係るもので、詳しくは、乗用型牽引車に油圧装置で上下作動されるリンク機構を介して田植装置を装着し、この田植装置の植付部整地フロ−トの前部仰角の変動により自動的に田植装置を昇降制御ならしめる構成の乗用型田植機に関するものである。
【０００２】
【従来技術】
従来、特開平３−２４７２０８号公報に開示された技術は公知であった。即ち、乗用型牽引車の後部に、下部に整地フロ−トを取り付けた田植装置を昇降リンク機構を介して装着し、整地フロ−トの前側部の仰角変動でリンク機構を作動する油圧装置の切換弁を切り換えて田植装置を昇降制御し、この昇降作動を司る油圧切換弁の切換感度を調節する構成のものがあった。
【０００３】
【発明が解決しようとする課題】
従来のものでは、水田圃場の硬さで田植装置の昇降制御の感度調整を行っていたために、フロ−トに加わる実質的な接地圧による制御感度補正がなされないで高精度な昇降制御が期待できなかった。特に、苗植付深さを調節した場合における接地圧変動が昇降制御の補正になっていなかったために、植付深さを深く調節した場合に感度が敏感になり、浅く調節した場合に鈍感になってしまう欠点があった。
【０００４】
【課題を解決するための手段】
この発明は、前述の課題を解消するために次の技術的な手段を講じた。
即ち、後部が支点で前部が上下動自在な整地フロ−ト２５を有した苗植付部整地用のフロ−トを具備した田植装置１９を、牽引車１に油圧装置で昇降可能なリンク機構１５を介して装着し、前記整地フロ−ト２５の後部回動支点を上下調節して植付深さを調整する調整機構を田植装置１９のフレ−ム側に装着し、このフレ−ム側の植付深さ調節機構に加わる負荷を検出する接地圧検出手段３２を設けると共に、前記整地フロ−ト２５の前部の仰角θを検出する仰角検出手段４７を設け、仰角検出手段４７の検出値が設定検出値Ｃ１〜Ｃnから外れるときに油圧切換弁５１を中立状態から上昇状態又は下降状態へ切換制御するよう構成し、接地圧検出手段３２の検出値が基準検出値Ｋ1〜Ｋnから外れるときに前記油圧装置の油圧切換弁５１の切換制御用の感度を補正する構成とし、前記仰角検出手段４７の設定検出値Ｃ１〜Ｃn及び接地圧検出手段３２の基準検出値Ｋ1〜Ｋnを予め設定できる構成とした乗用型田植機における植付部昇降制御装置とした。
【０００５】
【実施例】
この発明の一例を図面に基づき詳細に説明する。
１は乗用型の牽引車である。この牽引車１は、車体２の前側にフロントミッションケ−ス３が後側にリヤ−ミッションケ−ス４が左右に別れて配設され、このフロントミッションケ−ス３に左右に突出するフロントアクスルケ−スを設けてこれに左右一対の操舵用駆動前前輪５を取付け、リヤ−ミッションケ−ス４のそれぞれ外側に駆動後輪６を取付けている。７はエンジンで、前記車体２の前後中間部に搭載されている。８は乗車フロア−で、車体２の上面に張設され、エンジンカバ−９及び後輪６のフエンダ−１０を兼用する形状になっている。１１は操縦枠で、前記車体２の前側左右中間部にあってフロア−８上面から上方へ突出し、その上側に操縦ハンドル１２及び計器類が設けられている。
【０００６】
１３は操縦座席で、前記エンジンカバ−９の上側に配置されている。
１４は車体２の後部左右中間部に立設された支柱である。
１５は昇降リンク機構で、上リンク１５ａ，下リンク１５ｂの基部側を前記支柱１４に枢着し、その両後端部を連結リンク１５ｃで枢結させて平行リンク機構となし、この上リンク１５ａに一体のレバ−１６を車体側に一端を枢結した油圧シリンダ−機構１７に連結して、この油圧シリンダ−機構１７のピストンロッド１７ｂの出入りによりリンク機構１５が作動されるように構成されている。１７ａは油圧シリンダ−を示す。
【０００７】
１８はロ−リングヒッチ体で、前記連結リンク１５ｃに取り付けられ、このロ−リング軸に作業機が装着されるように構成している。
１９は田植装置で、前記ヒッチ体１８に当該田植装置の左右中央部がロ−リング自在に装着されている。
この田植装置１９について説明すると、フレ−ムを兼ねた伝動ケ−ス２０の前側部分の上部に苗載置台２１を左右往復作動するよう取付け、伝動ケ−ス２０の後部側で左右に分岐して突出の植付部伝動ケ−スに前記苗載置台２１上に載置された苗を分離して下部圃場面に植付機構２２を装着している。
【０００８】
この植付機構２２は、前後中心部を支軸として回転される回転ケ−ス２３の前後先端外側に回転方向及び回転数が前記回転ケ−ス２３の回転数と同一であって、角速度が一部分変化する回転軸を突出させて、この各回転軸に苗植付具２４を装着し、この苗植付具２４に取り付けた植付爪が苗分割移植軌跡（イ）を描くよう構成している。
【０００９】
２５は中央部フロ−ト、２６は前記中央部フロ−トの左右両側に配設した側部フロ−トであって、これらのフロ−ト２５，２６，２６は前記田植装置１９の下側に配置され、後部を支点に前部が上下動自由となるよう植付部の伝動ケ−ス２０側に装着されている。
前記フロ−トの取付け構成について詳述すると前記伝動ケ−ス２０に回動自在に取り付けられた横軸２７に固着の下向きア−ム２８で各フロ−ト２５，２６，２６を前部が上下スイング可能に枢着し、この横軸２７に基部が固着されて上向きに突出する植付深さ調節レバ−２９を取付け、この調節レバ−２９に係止突起３０を設け、この係止突起３０を田植装置１９のフレ−ム部材である伝動ケ−ス２０側に一体型のフレ−ム部材２０ａに取り付けた調節ガイド枠３１に形成するノッチ３１ａに回動して適所に係止できるように構成し、この調節ガイド枠３１を田植装置側フレ−ム部材２０ａに取り付けるにあたっては、各フロ−ト２５，２６，２６が圃場面に接当して受ける上方側への総合接地圧が検出できるよう第１ポテンショメ−タ３２を介在して取付けている。３２ａは検出ア−ムを示す。
【００１０】
側部フロ−ト２６の前側は、田植装置１９のフレ−ム側にリンクを介して上下動自由に取り付けられている。中央部フロ−ト２５の前側のフレ−ム側への取付けは、つぎのようになっている。即ち、伝動ケ−ス２０に一体型に設けられたフレ−ム部材２０ｂに基部側がピン３３ａ，３３ｂを介して枢着されたリンク３４，３５の前端側を縦リンク３６で枢結して平行リンク３７を構成し、この縦リンク３６に前後中間部を枢着した揺動部材３８の後端側と中央部フロ−ト２５の前側とをロッド３９で連繋している。４０は連動部材で、前記リンク３４の基部側に固着してフレ−ム部材２０ｂに回動自在に枢着したピン３３ａに一体型のア−ム４１と前記植付深さ調節レバ−２９とを連繋するもので、植付深さを調節するよう各フロ−トを上下調節するとき、平行リンク３７側も同じ上下方向に調節スイングされるよう構成している。前記ア−ム４１に連動部材４０を連結する構成は、連動部材４０の先端側を螺子軸に形成してこれに螺合するナット４２をア−ム４１に枢着した構成となし、この螺子合わせナット４２の螺子合わせ移動調節で平行リンク３７の前側の位置を上下調節可能にしている。
【００１１】
４３は前記縦リンク３６に基部側を固着状態に取り付けて上方へ突出させた突出枠で、前記牽引車１の操縦座席１３の近傍に設けた感度調節レバ−４４に連繋したワイヤ−４５のアウタ−４５ａを係止し、インナ−４５ｂにスプリング４６の一端を取付け、このスプリング４６の他端を前記揺動部材３８の前側位置に連繋している。即ち、このスプリング４６の張力でフロ−ト２５の前部を下圧付勢し、揺動部材３８の天秤状態を保持ならしめている。
【００１２】
４７は第２ポテンショメ−タで、前記縦リンク３６の上部に取り付けられ、このメ−タ４７の検出ア−ム４８と前記揺動部材３８とをロッド４９で連繋し、フロ−ト２５の前側の上下位置、即ち中央部フロ−ト２５の仰角θがロッド３９，揺動部材３８，ロッド４９及び検出ア−ム３８により第２ポテンショメ−タ４７に加わる電気抵抗を変更させて検出できるよう構成している。
【００１３】
前記油圧シリンダ−機構１７の作動制御について第３図の制御回路で説明すると、油圧ポンプ５０から油圧シリンダ−１７内への油路中に電磁ソレノイドＳＯＬ１及びＳＯＬ２で切り換えられる切換弁５１が設けられ、この切換弁５１により昇降リンク機構１５が作動されて田植装置１９を昇降制御するよう構成されている。図中５２は油圧タンク、５３はリリ−フ弁を示す。
【００１４】
前記ソレノイドＳＯＬ１，ＳＯＬ２への指令信号は、マイコンのコントロ−ラＣＰＵから発せられるが、その指令信号は、前記第１ポテンショメ−タ３２及び第２ポテンショメ−タ４７からの検出値がコントロ−ラＣＰＵに送られて、これらの検出値の信号をコントロ−ラに記憶させた標準値と比較等の演算をして適切な指令信号を発し、切換弁５１の切換時間及び切換弁の開閉制御を行い、田植装置１９を適正に昇降制御するよう構成している。
【００１５】
この一例を具体的に説明すると、コントロ−ラＣＰＵ内においてあらかじめダイヤル５４により植付基準を設定させた設定範囲値Ｃ1〜Ｃｎを読み込ませてメモリさせ、前記フロ−ト２５の仰角θによって作動される検出ア−ム４８で作動される第２ポテンショメ−タ４７の検出値が前記メモリされた設定範囲Ｃ1〜Ｃｎ内にあれば、切換弁５１を切り換えるソレノイドＳＯＬ１側への指令信号は発せられない。ところが、フロ−ト２５の仰角θが大きくなって、第２ポテンショメ−タ４７の検出値が設定範囲値Ｃ1〜Ｃｎを越えると、即ち、フロ−ト２５の前部が大きく上動されるとソレノイドＳＯＬ１が励磁されて切換弁５１が切り換えられ、ポンプ５０から作動油がシリンダ−１７ａ内に流れ込んでピストン１７ｂを突出して昇降リンク機構１５を介して田植装置１９上昇させ、これによりフロ−ト２５の前部が下降して第２ポテンショメ−タ４７の検出値が前記メモリされた設定範囲Ｃ1〜Ｃｎ内に収まるとソレノイドＳＯＬ１の励磁が解除されて切換弁５１が中立状態に復帰する。逆に、フロ−ト２５の仰角θが小さくなりマイナスθの状態になり、第２ポテンショメ−タ４７の検出値が設定範囲値Ｃ1〜Ｃｎ内から外れると、即ち、フロ−ト２５の前部が大きく下動されるとソレノイドＳＯＬ２が励磁されて切換弁５１が切り換えられ、シリンダ−１７ａ内の作動油がタンク５２へ流れ込んでピストン１７ｂを引っ込み昇降リンク機構１５を介して田植装置１９が下降させ、これによりフロ−ト２５の前部が圃場表面で押し上げられ第２ポテンショメ−タ４７の検出値が前記メモリされた設定範囲Ｃ1〜Ｃｎ内に収まるとソレノイドＳＯＬ２の励磁が解除されて切換弁５１が中立状態に復帰する。このようにして中央部フロ−ト２５の仰角θが適正な苗植付状態になるよう自動的に制御されるよう田植装置１９が昇降制御される。
【００１６】
また、第１ポテンショメ−タ３２では、各フロ−ト２５，２６，２６の後部で受るト−タル接地圧が検出され、その検出信号がコントロ−ラＣＰＵに送られる。ところで、この接地圧の標準となる一定範囲の基準値Ｋ1〜Ｋｎがあらかじめコントロ−ラＣＰＵにメモリされており、第１ポテンショメ−タ３２で実際に検出された値がこのメモリされた基準値Ｋ1〜Ｋｎ内にあるときは、前記第２ポテンショメ−タ４７の検出値と比較演算する前記仰角θ制御用の設定範囲Ｃ1〜Ｃｎの基準を変更させない。ところが、第１ポテンショメ−タ３２で実質的に測定された接地圧が大きくてコントロ−ラＣＰＵで記憶されている一定範囲の基準値Ｋ1〜Ｋｎから外れるとき、仰角制御を敏感側に補正する。即ち、前記仰角θ制御用の設定範囲Ｃ1〜ＣｎをＣ1−α〜Ｃｎ−βの設定範囲側に低くして仰角θがマイナス側、即ち、フロ−ト２５の前部が標準位置よりも下動した状態で制御されるように補正し、逆に第１ポテンショメ−タ３２で実質的に測定された接地圧が小さくてコントロ−ラＣＰＵで記憶されている一定範囲の基準値Ｋ1〜Ｋｎから外れるとき、仰角制御を鈍感側に補正する。即ち、前記仰角θ制御用の設定範囲Ｃ1〜ＣｎをＣ1＋α〜Ｃｎ＋βの設定範囲側に高くして仰角θがプラス側、即ち、フロ−ト２５の前部が標準位置よりも上動した状態で制御されるように補正している。このように、田植装置１９の苗載置台２１に沢山の苗を搭載して機体荷重が重いような場合には、フロ−ト接地圧が高くなるために制御感度が自動的に敏感になり、逆に軽くて接地圧が低いような場合には感度を鈍感に制御する。また、植付深さを深く調節する場合には、接地圧が大きくなるから敏感側へ、逆に浅く調節する場合には鈍感側へ自動的に補正される。
【００１７】
上例の作用について説明すると、田植装置１９側の苗載置台２１に土付きマット状苗を搭載して、水田圃場内で田植装置１９側を操縦座席１３の近傍に設けた油圧切換レバ−５５により下降させて、苗植付部整地用の各フロ−ト２５，２６，２６が水田表土面に接当するよう操作し、エンジン７で各部を回転駆動して牽引車１を走行させると共に、田植装置１９側の各部を伝動して苗植付作業を開始する。  すると、苗載置台２１が左右横方向に往復作動して植付機構２２の苗植付具２４が苗載置台２１から１株分づつ苗を分割保持して下部の整地フロ−ト２５，２６，２６で整地された部分に苗を植付ける。
【００１８】
このような作業中において、水田圃場が深くなる場合には、走行用の牽引車１の前、後輪５，６が深くなる耕盤に接地するため圃場表面から深く沈み、このため各フロ−ト２５，２６で受ける接地圧が大きくなる。そして、フロ−トが水田表土から深く沈むことで泥押しが起り、フロ−ト２５の前部側も突き上げられることとなり、仰角θが大になる。
【００１９】
したがって、フロ−ト２５が上動するからロッド３９を介して揺動部材３８の後部を突き上げ、前部が上方へ回動してロッド４９を介して検出ア−ム４８が上方へ回動し、第２ポテンショメ−タ４７でフロ−ト２５の仰角θが検出されその値がコントロ−ラＣＰＵへ送られる。一方、各フロ−トの後部側にかかる接地圧が第１ポテンショメ−タ３２で検出されてコントロ−ラＣＰＵにその検出値がおくられる。
【００２０】
そして、予めコントロ−ラＣＰＵでメモリされている基準値とこれらの検出値とが比較されるが、このとき、接地圧の測定値がメモリされた基準値と比較演算されて、異常時には仰角θのメモリされた基準値を補正する。これはコントロ−ラＣＰＵ内で自動的に行われる。そして、この補正後の仰角θ用の基準値と先の測定された仰角θの値とが比較演算されて、コントロ−ラＣＰＵから切換弁５１を作動させるソレノイドＳＯＬ１，ＳＯｌ２へ指令信号を発し、切換弁５１が切り換えられて田植装置１９が昇降リンク機構１７により昇降制御される。
【００２１】
このようにして、常に適正な植付状態になるよう制御されるが、この制御は、各フロ−ト２５，２６，２６の後部側が受ける接地圧の変動で、仰角制御の補正が行われるために高精度な制御になる。この仰角制御値の補正が、田植装置１９側の重量、苗植付深さの調節により行われるから更に、的確な昇降制御になる。
尚、第４図で示した制御回路の通り、フロ−ト２５，２６，２６で受ける接地圧の検出手段である第１ポテンショメ−タ３２による検出値を、水田圃場の表土面の硬軟度のファクタ−として利用し、前記感度調節レバ−４４によって変更調節されるスプリング４６をステッピングモ−タＭでその張力を変更調節するよう構成してもよい。即ち、仰角制御の補正をこのスプリング４６の張力補正にしても何等差し支えなく高精度な昇降制御をさせることができる。このスプリング４６の張力補正は、ワイヤ−４５の端と揺動部材３８との間に介装する前記スプリング４６の介在始端部あるいは終端部側にその初期張力を変更できるようステッピングモ−タＭを介在させて構成し、該モ−タＭの正転、逆転の度合いでスプリングの初期張力が変更できる構成にしている。尚、ステッピングモ−タＭの実施例に限らずソレノイド型伸縮機構をさいようしてもよく、或は、前記感度調節レバ−４４の設定位置を適宜アクチュエ−タにより変更調節する構成であっても差し支えない。
【００２２】
水田圃場の表土面の硬さを苗植付け初期において、基準となる硬さ設定する手段として、従来は田植装置１９を下降してフロ−トが表土面に当接して停止した作業開始時の当該フロ−トの沈下状態を目測して表土面硬さを設定していた。そして、この目測による硬さで、硬軟の感度調節レバ−４４でスプリング４６の張力調節を行い、植付作業を開始していた。しかし、この場合には、作業者によってバラツキが発生し、苗植付け深さが作業者によって変動する欠点があった。これを解消するためには、第５図の通り、コントロ−ラＣＰＵ中に、超軟圃場の接地圧基準値から超硬圃場の接地圧基準値までの硬軟度デ−タを記憶するメモリをもたせ、作業開始前に圃場中で走行停止状態で田植装置１９を所定高さから一挙に下降させてフロ−ト２５が受ける接地圧を第１ポテンショメ−タ３２で検出して、その信号をコントロ−ラＣＰＵに送信する。そして、この検出値がメモリ中の硬軟度デ−タの値と一致する点を比較検出させて、硬軟度を設定操作ボタン５６を操作して基準設定させる。したがって、この基準値がその圃場の接地圧基準の中間点になり、これから上下一定範囲の接地圧範囲が仰角θの補正をさせない範囲になる。尚、仰角検出によらないで接地圧のみによって油圧装置の切換弁を制御させる構成のものにあっては、この作動開始初期の検出圧が表土面硬軟度の基準値になって、事後これに基づき油圧切換弁が切換え制御されることになる。従って、水田圃場毎にその硬軟度が変化するが、これを作業の開始時期で的確に硬軟度の基準値が決められ、精度の高い油圧制御ができ、泥押し状態やハンチングが頻繁におこるような油圧切換制御が防止できて、高精度な植付けが期待できる。
【００２３】
別実施例として、第６図のように、植付け開始前に植付部を下降してフロ−トを水田表土面に接地させてその初期状態のフロ−ト仰角を第２ポテンショメ−タ４７で測定して、これをコントロ−ラＣＰＵに送信し、この実測仰角値と、予め、コントロ−ラＣＰＵ中に記憶させておいた超軟圃場の仰角値と超硬圃場の仰角値との間を所定間隔で区分して仰角基準値区分を設定し、この基準値区分のどの位置に前記実測仰角値が匹敵するかを比較決定し、この匹敵する値を基準仰角として硬軟度基準値にボタン５６ａで設定させ、この基準値から上下一定値の間は、切換弁５１の切換制御禁止区間として、これから逸脱したとき、切換制御されるように構成する。このようにすれば、硬軟度を目測で決定して設定する場合に比較して作業者によるバラツキ設定がなくなり、高精度な植付作業を期待することができる。
【００２４】
【発明の作用効果】
この発明によれば、仰角検出手段４７の検出値が予め設定される設定検出値Ｃ１〜Ｃnから外れるときに油圧切換弁５１を中立状態から上昇状態又は下降状態へ切換制御するよう構成し、田植装置１９を油圧装置で昇降制御させるものでありながら、接地圧検出手段３２の検出値が大きくて基準検出値Ｋ1〜Ｋnから外れるとき昇降制御を敏感側に補正し、接地圧検出手段３２の検出値が小さくて基準検出値Ｋ1〜Ｋnから外れるとき昇降制御を鈍感側に補正できる。しかも、前記基準検出値Ｋ1〜Ｋnは予め設定できるから、水田圃場表面の硬軟度が配慮された高精度な昇降自動制御ができ、苗植付深さが圃場の硬軟によって余り変動しない適正な苗植付作業ができる。
【図面の簡単な説明】
【図１】側面図
【図２】要部の側面図
【図３】要部の側面図
【図４】別例の制御回路図
【図５】別例の制御回路図
【図６】別例の制御回路図
【符号の説明】
１      牽引車
１５    昇降リンク機構
１９    田植装置
２５    整地フロ−ト
３２    接地圧検出手段（第１ポテンショメ−タ）
４７    仰角検出手段（第２ポテンショメ−タ）
θ      仰角
【図１】
0003546584.tif 000002
【図２】
0003546584.tif 000003
【図３】
0003546584.tif 000004
【図４】
0003546584.tif 000005
【図５】
0003546584.tif 000006
【図６】
0003546584.tif 000007